(57)【特許請求の範囲】
【請求項１】
電池パックを備えた携帯無線機と該携帯無線機から取り外されて電池パックとのいずれも水平状態で着脱可能な手段を備え、該手段で装着された該電池パックを充電する充電器であって、
電池パックが取り付けられた該携帯無線機が装着されたときには、該電池パックの側面で、該携帯無線機から取り外された該電池パックが装着されたときには、該電池パックの側面で、夫々押しつぶされるように弾性変形する爪を該手段に設け、
該爪の弾性変形により、該電池パックが取り付けられた該携帯無線機もしくは該携帯無線機から取り外された該電池パックを固定保持することを特徴とする携帯無線機の充電器。
【請求項２】
請求項１において、
前記爪の近傍から水滴を流し込む流路を設け、
該流路によって防水機能を有することを特徴とする携帯無線機の充電器。
【発明の詳細な説明】
【技術分野】
【０００１】
本発明は、携帯無線機の電池パックに充電するための充電器に関する。
【背景技術】
【０００２】
従来、携帯無線機に取り付けられる電池パックを充電する充電器として、携帯無線機やこれから取りはずした電池パックを充電器に設けられたポケットに挿入し、ほぼ垂直な状態で充電器に装着した状態で充電が行なわれるようにしたものが知られており、その一例として、そのポケット内にリブを設け、かかるリブ似よってポケット内に挿入された携帯無線機や電池パックがはずれないように保持するようにしている（例えば、特許文献１参照）。
【０００３】
ところで、車両の運転室内に充電器を固定して設け、この運転室内で携帯無線機の充電を行なうようにすることも考えられる。このような場合、車両の運転中に生ずる振動により、充電器に装着された携帯無線機や電池パックが振動し、これら携帯無線機や電池パックに悪い影響を与えることが考えられるし、また、これら携帯無線機や電池パックが充電器からはずれて床面に落下してしまうような場合も考えられる。
【０００４】
このような事態を防止するためには、充電器に装着された携帯無線機や電池パックをこの充電器に固定することが必要である。このように携帯無線機を充電器に固定する方法としては、図５（ａ）に示すように、携帯無線機２２を充電器２０に縦置きに実装した状態で、携帯無線機２２と充電器２０とにバンド２１を巻き付け、外れないように締め付けて携帯無線機２２を充電器２０に固定する方法がある。また、この同じ充電器２０に携帯無線機から取り外された電池パックも装着して充電できるものとすると、この場合も、図５（ｂ）に示すように、電池パック２３を充電器２０に縦置きに実装した状態で、電池パック２３と充電器２０とにバンド２１を巻き付け、外れないように締め付けるようにする。
【０００５】
また、屋外で使用される電子機器では、防水手段が設けられている。例えば、携帯無線機においても、雨水などの進入を防止する構造を備えたものが提案されている（例えば、特許文献２参照）。
【特許文献１】特開２００５ー３２３４７８
【特許文献２】特開２００１ー２７４７０１
【発明の開示】
【発明が解決しようとする課題】
【０００６】
ところで、図５に示すような固定方法によると、携帯無線機２２や電池パック２３の充電を行なう場合、これらを充電器２０に装着する動作に加え、これらをバンド２１で充電器２０に固定する作業も必要となり、また、携帯無線機２２や電池パック２３を充電器２０から取りはずす場合も、バンド２１をはずす作業が必要となって、携帯無線機２２や電池パック２３の充電のための作業に手間が掛かり、ユーザ、特に、車両の運転手に余計な負担が掛かることになる。
【０００７】
また、図５（ａ）に示す携帯無線機２２の充電を行なう場合と、図５（ｂ）に示す携帯無線機からはずされた電池パック２３の充電を行なう場合とでバンド２１の締め付け長さが異なるため、夫々毎にバンドの締め付け長さを調節することが必要であり、このことも、ユーザに作業の余計な負担を掛けることになる。
【０００８】
本発明の目的は、かかる問題を解消し、ユーザの作業負担を軽減して、携帯無線機や携帯無線機からはずされた電池パックを確実に固定でき、これらに加わる振動を軽減できるようにした携帯無線機の充電器を提供することにある。
【０００９】
また、上記特許文献２に記載のように、携帯無線機に防水機構を設けたものが提案されているが、通常屋内で使用される携帯無線機の充電器には、防水機構を設けられていない。しかし、例えば、車両内などに設けられる充電器では、雨の中で使用された携帯無線機が濡れたまま装着されて充電するようにする場合があり、また、濡れた携帯無線機を拭って装着しても、水滴が残っている場合もあり、携帯無線機から水滴が充電器に垂れて濡らしてしまい、充電器に設けられている回路基板や内部に実装される部品などに悪影響を与える場合もある。
【００１０】
本発明の他の目的は、かかる問題を解消し、防水を確実に行なうことができるようにした携帯無線機の充電器を提供することにある。
【課題を解決するための手段】
【００１１】
上記目的を達成するために、本発明は、電池パックを備えた携帯無線機と該携帯無線機から取り外されて電池パックとのいずれも水平状態で着脱可能な手段を備え、該手段で装着された該電池パックを充電する充電器であって、電池パックが取り付けられた該携帯無線機が装着されたときには、該電池パックの側面で、該携帯無線機から取り外された該電池パックが装着されたときには、該電池パックの側面で、夫々押しつぶされるように弾性変形する爪を該手段に設け、該爪の弾性変形により、該電池パックが取り付けられた該携帯無線機もしくは該携帯無線機から取り外された該電池パックを固定保持するものである。
【００１３】
さらに、本発明は、上記爪の近傍から水滴を流し込む流路を設け、該流路によって防水機能を有するものである。
【発明の効果】
【００１４】
本発明によると、携帯無線機や電子パックを固定して保持するものであるから、携帯電話や電池パックに加わる振動を軽減できるし、充分な防水効果も得られることになる。
【発明を実施するための最良の形態】
【００１５】
以下、本発明の実施形態を図面を用いて説明する。
【００１６】
図１は本発明による携帯無線機の充電器の一実施形態を示す斜視図であって、１はこの実施形態の充電器、２は爪、３は充電端子、４は光通信モジュール、５はプッシュスイッチ、６はランプ、７はカバー、８はベース部、９ａ〜９ｃは側壁部、１０は壁部、１１は取付穴である。
【００１７】
同図において、充電器１は、充電回路などが収納されたベース部８の辺部に沿って携帯無線機の電池パックが嵌め込み可能に側壁部９ａ〜９ｃが設けられている。ここで、充電器１を、図面上、長手方向左側（ランプ６側）から右側（光通信モジュール４側）に見て、ベース部８の左側の辺を左側辺、同じく右側の辺を右側辺といい、ベース部８のランプ６側の辺を下側辺、同じく光通信モジュール４側の辺を上側辺ということにすると、側壁部９ａはベース部８の左側辺から下側辺を通って右側辺にわたって設けられ、ベース部８の上側辺側には、光通信モジュール４などが収納されたカバー７が設けられている。そして、側壁部９ｂはベース部８の左側辺で側壁部９ａとカバー７との間に設けられ、側壁部９ｃはベース部８の右側辺で側壁部９ａとカバー７との間に設けられている。このカバー７の上面に、ベース部８の上側辺に平行に細長の壁部１０が設けられている。
【００１８】
また、側壁部９ａ，９ｂ間、側壁部９ｂとカバー７との間、側壁部９ａ，９ｃ間及び側壁部９ｃとカバー７との間には、夫々取付穴１１が設けられている。
【００１９】
携帯無線機は、それに取り付けられている電池パックの部分が側壁部９ａ，９ｂ，９ｃ及び壁部１０の内面によるエリア内に嵌合することにより、充電器１に取り付けられ、また、携帯無線機から取り外された電池パックは、壁部１０には係合しないが、側壁部９ａ，９ｂ，９ｃの内面によるエリア内に嵌合することにより、充電器１に取り付けられる。かかるエリアが携帯無線機の取付部となる。
【００２０】
側壁部９ａの上面には、この充電器１に取り付けられた電池パックもしくは携帯無線機の電池パック（図示せず）の充電状態を示すランプ６が設けられており、また、ベース部８の上面での、充電器１に取り付けられた電池パックや携帯無線機の電池パックの充電端子に対向する位置、ここでは、側壁部９ａ側の位置に、かかる電池パックの充電端子と接続される充電端子３が設けられており、さらに、カバー７には、携帯無線機が充電器１に取り付けられたときにプッシュされることにより、この携帯無線機がこの充電器１に固定されたことを判断するためのプッシュスイッチ５が設けられている。
【００２１】
側壁部９ａでのベース部８の左側辺，右側辺に沿う夫々部分の内面と側壁部９ｂ，９ｃ夫々の内面に爪２が設けられている。これら爪２は、樹脂などのたわみが可能な弾性体からなり、これら側壁部９ａ，９ｂ，９ｃと一体構造をなしている。
【００２２】
図２はかかる構成の充電器に携帯無線機が取り付けられる直前の状態を示す斜視図であって、１２はネジ、１３は固定面、１４は携帯無線機、１５は電池パック、１６は凸部であり、図１に対応する部分には同一符号をつけて重複する説明を省略する。
【００２３】
同図において、充電器１は、ネジ１２を取付穴１１に差し込んで固定面１３にねじ込むことにより、固定面１３に固定される。この固定面１３は、例えば、車両の運転室内などでの面である。
【００２４】
また、携帯無線機１４には、電池パック１５が取り付けられており、この電池パック１５の両側面に凸部１６が設けられている。但し、図示するのとは反対側側面での凸部は図示していない。これら凸部１６は、携帯無線機１４を充電器１に取り付けたときにこの携帯無線機１４の側壁部９ａ，９ｂ，９ｃに設けられた爪２に当接する位置に設けられている。
【００２５】
そこで、携帯無線機１４を側壁部９ａ，９ｂ，９ｃ及び壁部１０の内面によるエリア内に、電池パック１５を下側にし、かつ水平な状態、即ち、ベース部８（図１）に平行な状態で嵌め込むと、携帯無線機１４の電池パック１５の側面に設けられた各凸部１６が夫々充電器１に設けられている夫々の爪２に当接し、携帯無線機１４を押し込むとともに、これらの爪２がたわんでつぶされた状態に変形する。
【００２６】
電池パック１５を携帯無線機１４から取り外して充電器１に嵌め込む場合も、同様である。
【００２７】
図３（ａ）は携帯無線機１４を、上記のようにして、充電器１に取り付けてその電池パック１５を充電している状態を示す斜視図であり、また、図３（ｂ）は携帯無線機１４から取り外した電池パック１５を、上記のようにして、充電器１に取り付けて充電している状態を示す斜視図であって、前出図面に対応する部分には同一符号をつけて重複する説明を省略する。
【００２８】
図３（ａ）に示す状態では、携帯無線機１４の電池パック１５の周囲側面が充電器１の側壁部９ａ〜９ｃ（図２）の内面と壁部１０（図２）の内面とによるエリア内に嵌合し、また、この電池パック１５の底面が充電器１でのカバー７（図１）の上面に接触し、また、充電端子３（図１）が設けられた面でこの充電端子３に電池パック１５の充電端子が接続された状態となって、携帯無線機１４が充電器１に取り付けられた状態となるが、このとき、側壁面９ａ〜９ｃの爪２（図２）が電池パック１５の凸部１６（図２）によってたわんで弾性変形しており、この弾性変形をなくそうとする反発力により、爪２が電池パック１５を反対側に押し付ける作用をする。これにより、電池パック１５、従って、携帯無線機１４は充電器１内で固定されることになる。
【００２９】
携帯無線機１４が充電器１に正しく装着されたときには、この携帯無線機１４の底面によってプッシュボタン５がプッシュされ、これにより、携帯無線機１４が充電器１に正しく装着されたことが検出される。かかる状態では、この携帯無線機１４の光通信モジュール（図示せず）と充電器１の光通信モジュール４との通信が可能となる。
【００３０】
従って、この充電器１が車両の運転室などでの固定面１３（図２）に固定されている場合、車両の走行によって振動が生じても、この振動が弾性変形された爪２によって吸収され、携帯無線機１４に伝わる振動が軽減されることになる。
【００３１】
携帯無線機１４から取り外された電池パック１５が取り付けられた図３（ｂ）に示す状態でも、同様であるが、かかる電池パック１５を充電器１に取り付ける場合には、この電池パック１５を充電器１の側壁部９ａ側に押し付けるようにして取り付ける。従って、この取り付けられた電池パック１５に対しても、爪２が、その弾性力により、この電池パック１５を反対側に押し付ける作用をするので、この電池パック１５は充電器１内で固定され、車両の走行によって振動が生じても、この振動が弾性変形された爪２によって吸収され、この電池パック１５に伝わる振動が軽減されることになる。
【００３２】
また、図３（ａ），（ｂ）のいずれの状態においても、爪２の弾性変形によって充電器１に固定されているので、この充電器１から携帯無線機１４あるいは電池パック１５を取り外すのも容易である。
【００３３】
図４は図１に示す充電器１の横断面の構成を示す図であって、図４（ａ）はこの充電器１の上面図、図４（ｂ）は図４（ａ）での分断線Ａ−Ａに沿う断面図であり、１７は開口、１８は流路、１９は内部基板である。なお、前出図面に対応する部分には同一符号をつけて重複する説明を省略する。
【００３４】
図４（ａ）は図１と同様であるので、説明を省略する。
【００３５】
図４（ｂ）において、側壁部９ｂ，９ｃの内部には、夫々水滴の流路１８が設けられており、これら側壁部９ｂ，９ｃの内面側には、爪２の上縁に流路１８に連通する開口１７が設けられている。
【００３６】
かかる構成をなすことにより、側壁部９ｂ，９ｃの内面上部から流れ込んできた水滴や側壁部９ｂ，９ｃの内面上部に当たった水滴は、白抜き矢印で示すように、爪２によって堰き止められることにより、開口１７から流路１８内に流れ落ちる。これにより、充電器１に防水機能を持たせることができ、この充電器１に設けられた内部基板１９やパーツ類を浸水させず、機器が破壊されるのを防止できる。
【００３７】
以上、本発明の実施形態について説明したが、本発明はかかる実施形態のみに限定されるものではない。例えば、図１において、壁部１０にも、同様の弾性を有する爪２を設け、電池パック１５に設けられた凸部によって弾性変形するようにしてもよい。また、電池パック１５の側面に凸部を設けず、電池パック１５の側面によってこれらの爪２が弾性変形することにより、電池パック１５が固定保持されるようにしてもよい。
【図面の簡単な説明】
【００３８】
【図１】本発明による携帯無線機の充電器の一実施形態を示す斜視図である。
【図２】図１に示す充電器に携帯無線機が取り付けられる直前の状態を示す斜視図である。
【図３】図１に示す防水充電器に携帯無線機または電池パックが取り付けられた状態を示す斜視図である。
【図４】図１に示す充電器の横断面の構成を示す図である。
【図５】従来の充電器での携帯無線機や電池パックの固定方法を示す斜視図である。
【符号の説明】
【００３９】
１  充電器
２  爪
３  充電端子
４  光通信モジュール
５  プッシュスイッチ
６  ランプ
７  カバー
８  ベース部
９ａ〜９ｃ  側壁部
１０  壁部
１１  取付穴
１２  ネジ
１３  固定面
１４  携帯無線機
１５  電池パック
１６  凸部
１７  開口
１８  流路
１９  内部基板
【図１】
0004644152.tif 000002
【図２】
0004644152.tif 000003
【図３】
0004644152.tif 000004
【図４】
0004644152.tif 000005
【図５】
0004644152.tif 000006